(57)【要約】【課題】常用キーと非常用キーを併用でき、非常用キーで解錠操作した場合にその履歴が確実に残り、かつ動作信頼性の高い錠装置を提供する。【解決手段】非常用キー３でプラグ５を回すと、中間回転位置で中間ピン１４がロック用コードピン孔１０に落ち、ロックピン１６の先端が非常用キー３のロック凹部１９に係合した状態で保持されるので、解錠操作完了後、プラグ５を施錠位置に戻しても、非常用キー３を鍵穴８から抜き取ることができない。プラグ５が中間回転位置を通過後、解錠位置に至る直前に扉側のロック機構が解錠状態となる場合でも、すでに中間ピン１４がロック用コードピン孔１０に落ち込んでいるので、プラグ５を施錠位置に戻しても、非常用キー３を鍵穴８から抜き取ることができない。このため、非常用キー３を用いて解錠操作した履歴が確実に残る。【選択図】図２
2017061783.tif 000002
【特許請求の範囲】
【請求項１】
シリンダ錠と、このシリンダ錠を施解錠操作するための常用、非常用の２種のキーとからなる錠装置であって、
前記シリンダ錠は、概略円筒状のシリンダケースと、外周面が前記シリンダケースの内周面に摺接するように当該シリンダケース内に施錠位置と解錠位置の間を軸周り回転可能に挿入される円柱状のプラグとを具備し、
前記シリンダケースは、半径方向に延びて内周面に開口する複数のドライバピン孔と少なくとも１つのロック用ドライバピン孔とを具え、
前記プラグは、前記キーを挿入できるように前端に開口して軸線方向に延びる鍵穴と、施錠位置において前記ドライバピン孔に対応するように外周面から鍵穴に貫通する複数のコードピン孔と、施錠位置と解錠位置との中間角度位置において前記ロック用ドライバピン孔に対応するように外周面から鍵穴に貫通するロック用コードピン孔と、を具備し、
前記ドライバピン孔には、前記プラグの回転中心方向に付勢されるドライバピンが挿入され、
前記ロック用ドライバピン孔には、ロック用ドライバピンと、このロック用ドライバピンによって前記プラグの回転中心方向に付勢される中間ピンとが挿入され、
前記コードピン孔には、内側端が前記鍵穴へ突出するようにコードピンが挿入され、
前記ロック用コードピン孔には、内側端が前記鍵穴へ突出するようにロックピンが挿入され、
前記常用キーは、施錠位置にある前記プラグの鍵穴への挿入時に、前記ロックピンの外側端面をプラグの外周面に一致させて前記ロック用コードピン孔を閉じる位置にロックピンを保持するアンチロック面と、前記コードピンとドライバピンとの接触面をプラグの外周面に一致させる位置にコードピンを保持する解錠凹部とを具備し、
前記非常用キーは、施錠位置にある前記プラグの鍵穴への挿入時に、前記ロックピンを前記ロック用コードピン孔の深部に配置してロック用コードピン孔の外側端部に空所を形成し、それによってプラグが中間角度位置にある時当該空所に前記中間ピンを受け入れ、中間ピンと前記ロック用ドライバピンとの接触面を前記プラグの外周面に一致させる位置にロックピンを保持するロック凹部と、前記コードピンとドライバピンとの接触面をプラグの外周面に一致させる位置にコードピンを保持する解錠凹部とを具備し、
前記非常用キーを用いて前記プラグを解錠方向へ回転させる中間角度位置において前記中間ピンが前記ロック用コードピン孔の前記ロックピンの上に落ち、解錠後、プラグを施錠位置に戻すとロックピンがロック凹部に係合して非常用キーが拘束され、鍵穴からの抜き取りが不可能されることを特徴とする錠装置。
【発明の詳細な説明】
【技術分野】
【０００１】
本発明は、自動販売機用扉の施解錠機構等に用いられる錠装置に関する。
【背景技術】
【０００２】
常用キーに加えて非常キーによる解錠操作が可能で、非常用キーによる解錠操作の履歴が残る錠装置として、特許文献１に記載のものが知られている。
この錠装置においては、プラグに、コードピンとロック用コードピンが装着される。シリンダケースには、ドライバピンとロック用ドライバピンが装着される。常用キーには、コードピンとロック用コードピンとをプラグとシリンダケースとの回転境界を開放する位置に導く解錠凹部が設けられる。これに対し、非常キーには、コードピンをプラグとシリンダケースとの回転境界を開放する位置に導く解錠凹部と、ロック用コードピンを嵌合するためのロック凹部とが設けられる。
以上の構成の下、常用キー、非常キーのいずれを挿入した状態においてもコードピンとロック用コードピンの双方がプラグとシリンダケースとの回転境界を閉塞することがないために、プラグの回転操作が許容されるが、非常キーを使用してプラグを回転させ、ロック用コードピンがロック用ドライバピンに正対する位置まで移動すると、ロック用コードピンがロック凹部に嵌合し、ロック用ドライバピンが回転境界を閉塞し、以後、プラグの回転が規制され、かつ非常キーの抜去も規制されることから、非常キーの使用履歴を知ることができる。
【先行技術文献】
【特許文献】
【０００３】
【特許文献１】特開２０１３-１２４４９６号公報
【発明の概要】
【発明が解決しようとする課題】
【０００４】
一般に錠装置は、シリンダ錠のプラグの回転を、伝動機構を介してロック機構に伝達することにより、扉等の施錠、解錠状態を変更するように構成される。シリンダ錠とロック機構とは個別に所定位置に配置、固定されるため、プラグの施錠位置から解錠位置までの回転角度とロック機構の施錠状態から解錠状態への遷移動作との間に誤差が発生する。すなわち、プラグが解錠位置に至ってもロック機構が解錠状態とならないストローク不足や、プラグが解錠位置に至る前にロック機構が解錠状態となるオーバーストロークの状態が生じる。
上記従来例において、ストローク不足の場合、ロック機構が解錠動作完了前にシリンダ錠のロック用コードピンが非常キーのロック凹部に落ち込んで、プラグの回転が規制され結果、解錠不能となる。逆にオーバーストロークの場合、プラグを解錠位置まで回転させずにロック機構を解錠できるので、その時点でプラグを施錠位置へ戻せば非常キーの抜き取りが可能となり、常用キーと同様の使用が可能になってしまうという問題が発生する。
したがって、本発明は、常用キーと非常用キーを併用でき、非常用キーで解錠操作した場合にその履歴が確実に残り、かつ動作信頼性の高い錠装置を提供することを目的とする。
【課題を解決するための手段】
【０００５】
以下、添付図面の符号を参照して説明するが、本発明はこれに限定されるものではない。
上記課題を解決するための、本発明の錠装置は、シリンダ錠１と、このシリンダ錠１を施解錠操作するための常用、非常用の２種のキー２，３とからなる。シリンダ錠１は、概略円筒状のシリンダケース４と、外周面１１が前記シリンダケース４の内周面１１に摺接するように当該シリンダケース４内に施錠位置と解錠位置の間を軸周り回転可能に挿入される円柱状のプラグ５とを具備する。シリンダケース４は、半径方向に延びて内周面１１に開口する複数のドライバピン孔６と、少なくとも１つのロック用ドライバピン孔７とを具える。プラグ５は、キー２，３を挿入できるように前端に開口して軸線方向に延びる鍵穴８と、施錠位置においてドライバピン孔６に対応するように外周面１１から鍵穴８に貫通する複数のコードピン孔９と、施錠位置と解錠位置との中間角度位置においてロック用ドライバピン孔７に対応するように外周面１１から鍵穴８に貫通する少なくとも１つのロック用コードピン孔１０とを具備する。ドライバピン孔６には、プラグ５の回転中心方向に付勢されるドライバピン１２が挿入される。ロック用ドライバピン孔７には、ロック用ドライバピン１３と、このロック用ドライバピン１３によってプラグ５の回転中心方向に付勢される中間ピン１４とが挿入される。コードピン孔９には、内側端が鍵穴８へ突出するようにコードピン１５が挿入される。ロック用コードピン孔１０には、内側端が鍵穴８へ突出するようにロックピン１６が挿入される。常用キー２は、アンチロック面１７と、解錠凹部１８とを具備する。アンチロック面１７は、施錠位置にあるプラグ５の鍵穴８へ常用キー２を挿入したときに、ロックピン１６の外側端面をプラグ５の外周面１１に一致させてロック用コードピン孔１０を閉じる位置にロックピン１６を保持する。解錠凹部１８は、コードピン１５とドライバピン１２との接触面をプラグの外周面１１に一致させる位置にコードピン１５を保持する。非常用キー３は、ロック凹部１７と、解錠凹部２０とを具備する。ロック凹部１７は、施錠位置にあるプラグ５の鍵穴８へ非常用キー３を挿入したときに、ロックピン１６をロック用コードピン孔１０の深部に配置して、それの外側端部に空所２１を形成し、それによってプラグ５が中間角度位置にある時当該空所２１に中間ピン１４を受け入れ、中間ピン１４とロック用ドライバピン１３との接触面をプラグ５の外周面１１に一致させる位置にロックピン１６を保持する。解錠凹部２０は、コードピン１５とドライバピン１２との接触面をプラグ５の外周面１１に一致させる位置にコードピン１５を保持する。非常用キー３を用いてプラグ５を解錠方向へ回転させる中間角度位置において、中間ピン１４がロック用コードピン孔１０のロックピン１６の上に落ち、解錠後、プラグ５を施錠位置に戻すと、ロックピン１６がロック凹部１９に係合して非常用キー３が拘束され、鍵穴８からの抜き取りが不可能される。
【発明の効果】
【０００６】
本発明の錠装置は、常用キーと非常用キーを併用でき、非常用キーで解錠操作した場合にその履歴が確実に残り、かつ動作信頼性の高い錠装置を提供する。
【図面の簡単な説明】
【０００７】
【図１】本発明に係る錠装置のシリンダ錠を常用キーで操作する過程を示す断面図である。
【図２】図１の錠装置のシリンダ錠を非常用キーで操作する過程を示す断面図である。
【発明を実施するための形態】
【０００８】
図面を参照して本発明の実施の形態を説明する。
図において、錠装置は、シリンダ錠１と、これを操作する常用、非常用の２種のキー２，３とのセットで構成される。
【０００９】
シリンダ錠１は、概略円筒状のシリンダケース４と、これに軸周り回転可能に挿入される円柱状のプラグ５とを具備する。プラグ５の外周面は、シリンダケース４の内周面に摺接（以下この摺接面１１を「シアライン」という。）し、シリンダケース４内において施錠位置（図１（ａ），図１（ｂ），図２（ｃ），図２（ｄ））と、解錠位置（図１（ｄ），図２（ｃ））の間を約９０°の範囲で正逆回転自在である。
【００１０】
シリンダケース４は、軸心に向かって半径方向に延びて内周面に開口する複数のドライバピン孔６（簡単のため、１つのみを図示した。）と、少なくとも１つのロック用ドライバピン孔７とを具える。
【００１１】
プラグ５は、キー２，３を挿入できるように、前端に開口して軸線方向に延びる鍵穴８と、施錠位置においてドライバピン孔６に対応するように外周面から鍵穴８に貫通する複数のコードピン孔９（簡単のため、１つのみを図示した。）と、施錠位置と解錠位置との中間角度位置（図１（ｃ），図２（ｂ））においてロック用ドライバピン孔７に対応するように外周面から鍵穴８に貫通するロック用コードピン孔１０とを具備する。
【００１２】
ドライバピン孔６には、プラグ５の回転中心方向に付勢されるドライバピン１２が挿入される。ロック用ドライバピン孔７には、ロック用ドライバピン１３と、このロック用ドライバピン１３によってプラグ５の回転中心方向に付勢される中間ピン１４とが挿入される。
【００１３】
コードピン孔９には、内側端が鍵穴８へ突出するようにコードピン１５が挿入される。ロック用コードピン孔１０には、内側端が鍵穴８へ突出するようにロックピン１６が挿入される。
【００１４】
図１（ａ）は、シリンダ錠１が施錠状態にあるときの断面図である。図１（ｂ）〜（ｄ）には、鍵穴８へ常用キー２を挿入してシリンダ錠１を解錠操作する過程を示した。図１（ｂ）は、施錠位置にあるプラグ５の鍵穴８へ常用キー２を挿入した状態、図１（ｃ）は、プラグ５を施錠位置から時計方向（解錠方向）へ約３０°回転操作した状態、図１（ｄ）は、プラグ５を施錠位置から約９０°回転させて、解錠位置へ持ち来した状態をそれぞれ示す。
【００１５】
図１に示すように、常用キー２は、アンチロック面１７と、解錠凹部１８とを具備する。アンチロック面１７は、施錠位置にあるプラグ５の鍵穴８へ常用キー２を挿入したとき（図１（ｂ））、ロックピン１６の外側端面をシアライン１１に一致させて、ロック用コードピン孔１０の外側開口を閉じる位置にロックピン１６を保持する平面である。解錠凹部１８は、コードピン１５とドライバピン１２との接触面（コードピン１５の外側端面）をシアライン１１に一致させる位置（図１（ｂ））にコードピン１５を保持し、プラグの回転操作を許容する。
【００１６】
常用キー２を用いてシリンダ錠１を解錠操作するとき、その中間過程（図１（ｃ））で、ロック用コードピン孔１０とロック用ドライバピン孔７とが対向する。このとき、ロックピン１６がロック用コードピン孔１０の開口を閉じているので、中間ピン１４は移動することなく、プラグ５は、そのまま解錠位置（図１（ｄ））に至る。この間に、プラグ５の回転に連動する図示しない扉側のロック機構が施錠動作を完了する。そこから、施錠状態に戻す過程は、上述の逆過程である。施錠状態に戻せば、常用キー２は鍵穴８から抜き取ることができる。
【００１７】
図２（ａ）〜（ｄ）に、鍵穴８へ常用キー２を挿入してシリンダ錠１を解錠操作する過程を示した。図２（ａ）は施錠状態のシリンダ錠１へ非常用キー３を挿入した状態を示す。図２（ｂ）は、プラグ５を施錠位置から時計方向（解錠方向）へ約３０°回転させた状態、図２（ｃ）は、プラグ５を施錠位置から約９０°回転させて、解錠位置へ持ち来した状態、図２（ｃ）は、プラグ５を施錠位置へ戻した状態をそれぞれ示す。
【００１８】
図２に示すように、非常用キー３は、ロック凹部１９と、解錠凹部２０とを具備する。ロック凹部１９は、施錠位置にあるプラグ５の鍵穴８へ非常用キー３を挿入したとき（図２（ａ））、ロックピン１６をロック用コードピン孔１０の深部に配置して、ロック用コードピン孔１０の外側端部に空所２１を形成する。解錠凹部２０は、コードピン１５とドライバピン１２との接触面（コードピン１５の外側端面）をシアラインに一致させる位置にコードピン１５を保持する。
【００１９】
非常用キー３を用いてシリンダ錠１を解錠操作するとき、その中間過程（図２（ｂ））で、ロック用コードピン孔１０とロック用ドライバピン孔７とが対向する。このとき、ロックピン１６は、ロック用コードピン孔１０の深部にあって、ロック用コードピン孔１０の外側端部に空所２１が形成されているので、中間ピン１４がロック用ドライバピン１３に押されて空所２１へ落ち込み、中間ピン１４とロック用ドライバピン１３との接触面がシアライン１１に一致する。プラグ５は、中間ピン１４を保持したまま解錠位置（図２（ｃ））に至る。この間に、プラグ５の回転に連動する図示しない扉側のロック機構が施錠動作を完了する。
【００２０】
そこから、施錠状態に戻す過程は、上述の逆過程であるが、プラグ５は、中間ピン１４を保持したまま解錠位置（図２（ｄ））に至る。この状態において、ロックピン１６は、ロック凹部１９に落ち込んで、中間ピン１４により移動が阻止されているから、非常用キー３は、鍵穴８から抜き取ることができない。これにより、非常用キー３を用いて解錠操作した履歴が残る。
【００２１】
シリンダ錠１の動作と扉側のロック機構の動作との間にわずかな齟齬があって、プラグ５が解錠位置に至る直前にロック機構が解錠状態となる場合でも、すでに中間ピン１４がロック用コードピン孔１０に落ち込んでいるので、プラグ５を施錠位置に戻しても、非常用キー３を鍵穴８から抜き取ることができない。このため、非常用キー３を用いて解錠操作した履歴が確実に残る。
【符号の説明】
【００２２】
１      シリンダ錠
２      常用キー
３      非常用キー
４      シリンダケース
５      プラグ
６      ドライバピン孔
７      ロック用ドライバピン孔
８      鍵穴
９      コードピン
１０    ロック用コードピン
１１    シアライン
１２    ドライバピン
１３    ロック用ドライバピン
１４    中間ピン
１５    コードピン
１６    ロックピン
１７    アンチロック面
１８    解錠凹部
１９    ロック凹部
２０    解錠凹部
２１    空所
【図１】
2017061783.tif 000003
【図２】
2017061783.tif 000004
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
シリンダ錠と、このシリンダ錠を施解錠操作するための常用、非常用の２種のキーとからなる錠装置であって、
前記シリンダ錠は、概略円筒状のシリンダケースと、外周面が前記シリンダケースの内周面に摺接するように当該シリンダケース内に施錠位置と解錠位置の間を軸周り回転可能に挿入される円柱状のプラグとを具備し、
前記シリンダケースは、半径方向に延びて内周面に開口する複数のドライバピン孔と少なくとも１つのロック用ドライバピン孔とを具え、
前記プラグは、前記キーを挿入できるように前端に開口して軸線方向に延びる鍵穴と、施錠位置において前記ドライバピン孔に対応するように外周面から鍵穴に貫通する複数のコードピン孔と、施錠位置と解錠位置との中間角度位置において前記ロック用ドライバピン孔に対応するように外周面から鍵穴に貫通するロック用コードピン孔と、を具備し、
前記ドライバピン孔には、前記プラグの回転中心方向に付勢されるドライバピンが挿入され、
前記ロック用ドライバピン孔には、ロック用ドライバピンと、このロック用ドライバピンによって前記プラグの回転中心方向に付勢される中間ピンとが挿入され、
前記コードピン孔には、内側端が前記鍵穴へ突出するようにコードピンが挿入され、
前記ロック用コードピン孔には、内側端が前記鍵穴へ突出するようにロックピンが挿入され、
前記常用キーは、施錠位置にある前記プラグの鍵穴への挿入時に、前記ロックピンの外側端面をプラグの外周面に一致させて前記ロック用コードピン孔を閉じる位置にロックピンを保持するアンチロック面と、前記コードピンとドライバピンとの接触面をプラグの外周面に一致させる位置にコードピンを保持する解錠凹部とを具備し、
前記非常用キーは、施錠位置にある前記プラグの鍵穴への挿入時に、前記ロックピンを前記ロック用コードピン孔の深部に配置してロック用コードピン孔の外側端部に空所を形成し、それによってプラグが中間角度位置にある時当該空所に前記中間ピンを受け入れ、中間ピンと前記ロック用ドライバピンとの接触面を前記プラグの外周面に一致させる位置にロックピンを保持するロック凹部と、前記コードピンとドライバピンとの接触面をプラグの外周面に一致させる位置にコードピンを保持する解錠凹部とを具備し、
前記非常用キーを用いて前記プラグを解錠方向へ回転させる中間角度位置において前記中間ピンが前記ロック用コードピン孔の前記ロックピンの上に落ち、解錠後、プラグを施錠位置に戻しても、ロックピンがロック凹部に係合して非常用キーが拘束されており、鍵穴からの抜き取りが不可能とされることを特徴とする錠装置。
【手続補正２】
【補正対象書類名】明細書
【補正対象項目名】０００５
【補正方法】変更
【補正の内容】
【０００５】
以下、添付図面の符号を参照して説明するが、本発明はこれに限定されるものではない。
上記課題を解決するための、本発明の錠装置は、シリンダ錠１と、このシリンダ錠１を施解錠操作するための常用、非常用の２種のキー２，３とからなる。シリンダ錠１は、概略円筒状のシリンダケース４と、外周面１１が前記シリンダケース４の内周面１１に摺接するように当該シリンダケース４内に施錠位置と解錠位置の間を軸周り回転可能に挿入される円柱状のプラグ５とを具備する。シリンダケース４は、半径方向に延びて内周面１１に開口する複数のドライバピン孔６と、少なくとも１つのロック用ドライバピン孔７とを具える。プラグ５は、キー２，３を挿入できるように前端に開口して軸線方向に延びる鍵穴８と、施錠位置においてドライバピン孔６に対応するように外周面１１から鍵穴８に貫通する複数のコードピン孔９と、施錠位置と解錠位置との中間角度位置においてロック用ドライバピン孔７に対応するように外周面１１から鍵穴８に貫通する少なくとも１つのロック用コードピン孔１０とを具備する。ドライバピン孔６には、プラグ５の回転中心方向に付勢されるドライバピン１２が挿入される。ロック用ドライバピン孔７には、ロック用ドライバピン１３と、このロック用ドライバピン１３によってプラグ５の回転中心方向に付勢される中間ピン１４とが挿入される。コードピン孔９には、内側端が鍵穴８へ突出するようにコードピン１５が挿入される。ロック用コードピン孔１０には、内側端が鍵穴８へ突出するようにロックピン１６が挿入される。常用キー２は、アンチロック面１７と、解錠凹部１８とを具備する。アンチロック面１７は、施錠位置にあるプラグ５の鍵穴８へ常用キー２を挿入したときに、ロックピン１６の外側端面をプラグ５の外周面１１に一致させてロック用コードピン孔１０を閉じる位置にロックピン１６を保持する。解錠凹部１８は、コードピン１５とドライバピン１２との接触面をプラグの外周面１１に一致させる位置にコードピン１５を保持する。非常用キー３は、ロック凹部１９と、解錠凹部２０とを具備する。ロック凹部１９は、施錠位置にあるプラグ５の鍵穴８へ非常用キー３を挿入したときに、ロックピン１６をロック用コードピン孔１０の深部に配置して、それの外側端部に空所２１を形成し、それによってプラグ５が中間角度位置にある時当該空所２１に中間ピン１４を受け入れ、中間ピン１４とロック用ドライバピン１３との接触面をプラグ５の外周面１１に一致させる位置にロックピン１６を保持する。解錠凹部２０は、コードピン１５とドライバピン１２との接触面をプラグ５の外周面１１に一致させる位置にコードピン１５を保持する。非常用キー３を用いてプラグ５を解錠方向へ回転させる中間角度位置において、中間ピン１４がロック用コードピン孔１０のロックピン１６の上に落ち、解錠後、プラグ５を施錠位置に戻すと、ロックピン１６がロック凹部１９に係合して非常用キー３が拘束され、鍵穴８からの抜き取りが不可能とされる。
【手続補正３】
【補正対象書類名】明細書
【補正対象項目名】００１７
【補正方法】変更
【補正の内容】
【００１７】
図２（ａ）〜（ｄ）に、鍵穴８へ非常用キー３を挿入してシリンダ錠１を解錠操作する過程を示した。図２（ａ）は施錠状態のシリンダ錠１へ非常用キー３を挿入した状態を示す。図２（ｂ）は、プラグ５を施錠位置から時計方向（解錠方向）へ約３０°回転させた状態、図２（ｃ）は、プラグ５を施錠位置から約９０°回転させて、解錠位置へ持ち来した状態、図２（ｃ）は、プラグ５を施錠位置へ戻した状態をそれぞれ示す。